(57)【要約】【課題】  太陽光発電装置のコストダウンと施工期間の短縮。【解決手段】  太陽光発電装置１は、３本のワイヤ２ａ〜２ｃの一端を支持する第１支持部３ａ〜３ｃと、３本のワイヤ２ａ〜２ｃの他端を支持する第２支持部４ａ〜４ｃと、３本のワイヤ２ａ〜２ｃと、ワイヤ２ａ〜２ｃに固定具５で固定される太陽電池パネル６と、を備え、第１支柱３１〜３３乃至第３支柱２３１〜２３３が太陽電池パネル６の長手方向又は短手方向に沿って配置されることにより、太陽電池パネル６を傾斜して配置する。【選択図】図１
2014011361.tif 000002
【特許請求の範囲】
【請求項１】
２本以上のワイヤの一端を支持する第１支持部と、
前記２本以上のワイヤの他端を支持する第２支持部と、
前記２本以上のワイヤに固定具で固定される太陽電池パネルと、
を備え、
前記第１支持部と、第２支持部が、それぞれ、
高さの異なる２本以上の支柱と、
前記支柱を補強する補強部材と、を備え、
前記支柱が前記太陽電池パネルの辺に沿って配置されることにより、前記太陽電池パネルを傾斜して配置することを特徴とする太陽光発電装置。
【請求項２】
前記２本以上のワイヤを支持する中間支持部を前記第１支持部と第２支持部との間に設けた請求項１の太陽光発電装置。
【請求項３】
前記２本以上のワイヤを張設する張設ドラムを前記支柱に設ける請求項１又は２の太陽光発電装置。
【発明の詳細な説明】
【技術分野】
【０００１】
本発明は太陽電池パネルと太陽電池パネルを支持する支持部を備えた太陽光発電装置に関する。
【背景技術】
【０００２】
太陽電池パネルは、例えば特開第２０００−１０１１２３号公報にあるように複数の脚部を持つ組上げ式の架台を用意しその上に固定したり、前記脚部を地面に埋め込むか、また、例えば、特開２０１０−９８２４１号公報、特開２０１０−２７９７９号公報のように、コンクリートで製作された基礎ブロックに架台を設置し、架台上に取付金具で太陽電池パネルを設置することが一般的な構成方法として知られている。
【先行技術文献】
【特許文献】
【０００３】
【特許文献１】特開２０００−１０１１２３号公報
【特許文献２】特開２０１０−９８２４１号公報
【特許文献２】特開２０１０−２７９７９号公報
【発明の概要】
【発明が解決しようとする課題】
【０００４】
太陽光電池の面積でおおよその発電力が決まるため、多くの発電力が要求される場合には当然のことながらできるだけ多くの太陽電池パネルを立設できることが望ましい。然しながら、特許文献１乃至３では、コンクリート躯体を築造し、その上に架台を載せ、その架台上に太陽電池パネルを固定するものであるため、大規模な土木工事や設備工事が必要となりコストを増大するとともに、施工期間が長くなるという問題があった。
【０００５】
本発明は、太陽光発電装置のコストダウンと施工期間の短縮を課題とする。
【課題を解決するための手段】
【０００６】
上記課題に鑑み本発明は、複数の支持部にワイヤを張設し、ワイヤに太陽電池パネルを固定するものである。必要があれば、支持部は２本以上の支柱から構成される。前記支柱が太陽電池パネルの辺に沿って配置される。
【０００７】
支柱は、高さの相違する少なくとも２本の支柱を備え、支柱の高低差により太陽電池パネルに傾斜をつけることができる。
【０００８】
ワイヤに太陽電池パネルが固定される。太陽電池パネルにフレームを設け、このフレームに固定金具で太陽電池パネルを取り付けることが好ましい。
【０００９】
２本以上のワイヤの張力を調整するため、複数本の支柱に張力調整装置を設けることが好ましい。支持部がワイヤの張力で寄らないようにビーム等の補強部材を設けることが好ましい。補強部材が筋交い、あるいは、連結部材として機能することで、支持部の倒れこみを防止できる。
【００１０】
ワイヤドラムが支持部に取り付けられることが好ましい。固定金具は緊締金具（ボルト）で加締めることが好ましい。
【発明の効果】
【００１１】
本発明の太陽光発電装置によれば、大規模な土木工事や設備工事を不要とし、コストを低減するとともに、施工期間を短縮することができる。
【図面の簡単な説明】
【００１２】
【図１】本発明実施形態の太陽光発電装置の斜視図である。
【図２】（ａ）本発明実施形態の太陽光発電装置の側面図、（ｂ）同じく太陽電池パネル付近の裏面図である。
【図３】（ａ）本発明の別の実施形態の太陽光発電装置の側面図、（ｂ）同じく太陽電池パネル付近の裏面図である。
【発明を実施するための形態】
【００１３】
以下、本発明実施形態の太陽光発電装置１について図１〜図３を参照して説明する。太陽光発電装置１は、図１、２に示す通り、３本のワイヤ２ａ〜２ｃの一端を支持する第１支持部３ａ〜３ｃと、３本のワイヤ２ａ〜２ｃの他端を支持する第２支持部４ａ〜４ｃと、３本のワイヤ２ａ〜２ｃと、ワイヤ２ａ〜２ｃに固定具５で固定される太陽電池パネル６と、を備えたものである。
【００１４】
第１支持部３ａ〜３ｃが、それぞれ、第１支柱３１〜３３と、第１支柱３１〜３３よりも高さが低い第２支柱１３１〜１３３と、第２支柱１３１〜１３３よりも高さが低い第３支柱２３１〜２３３と、第１支柱３１〜３３乃至第３支柱２３１〜２３３を補強する補強部材３４〜３７、１３４〜１３７、２３４〜２３７とを備えている。第１支柱３１〜３３乃至第３支柱２３１〜２３３に貫通穴が形成され、これにワイヤ２ａ〜２ｃを通し、摺動可能とする。
【００１５】
第１支持部３ａ〜３ｃがワイヤ２ａ〜２ｃの張力で内側に寄らないようにビーム等の補強部材３４〜３７、１３４〜１３７、２３４〜２３７を設け、補強部材３４，１３４，２３４，３５，１３５，２３５が筋交い、あるいは、補強部材３６，１３６，２３６，３７，１３７，２３７が連結部材として機能することで、第１支持部３ａ〜３ｃの倒れ込みを防止できる。
【００１６】
第１支柱３１〜３３乃至第３支柱２３１〜２３３が太陽電池パネル６の長手方向又は短手方向に沿って配置されることにより、太陽電池パネル６を傾斜して配置することを特徴とする。
【００１７】
第２支持部４ａ〜４ｃは、第１支持部３ａ〜３ｃと同様の構造と機能であるので、対応する番号を付すことで説明を援用する。
【００１８】
第１支柱３ａ〜３ｃと第２支柱４ａ〜４ｃは、高さの相違する３本の柱を備え、柱の高低差により太陽電池パネル６に傾斜をつけることができる。
【００１９】
固定具５は緊締金具（ボルト等）を備え、金具を緊締金具（ボルト等）で加締めて固定する。３本のワイヤ２ａ〜２ｃに太陽電池パネル６のフレーム６ｂが固定具５により固定される。
【００２０】
太陽電池パネル６は、太陽電池パネル６ａをフレーム６ｂに固定したものである。太陽電池パネルは、適宜の数、固定が可能である。
【００２１】
３本のワイヤ２ａ〜２ｃを張設するための張力調整装置としての張設ドラム７ａ〜７ｃを第１支柱３１，１３１，２３１に設け、ワイヤ２ａ〜２ｃの張力を調整することとする。
【００２２】
３本のワイヤ２ａ〜２ｃを支持する中間支持部８ａ〜８ｃを第１支持部３ａ〜３ｃと第２支持部４ａ〜４ｃとの間に設けている。ワイヤ２ａ〜２ｃの長さが長い場合には有効である。
【００２３】
図３に示す通り、一対の太陽光発電装置を並列に設けることもできる。ここでは、傾斜面を共通とするものである。傾斜面が対称とするものでもよい。
【００２４】
以上、本発明の好適な実施の形態を説明したが、本発明は上述の実施の形態に限定されるものではないことは無論であり、本発明の技術的思想を逸脱しない範囲で多くの変更等を施し得ることができることは当業者であれば当然である。例えば、ワイヤの本数、支持部、支柱の数は、実施例で記載された数に限らず、２，３，４，５・・・等、適宜設定可能である。実施形態では複数の支柱が太陽電池パネルの長手方向にそって配置されているが、短手方向に沿って配置されてもよい。
【産業上の利用可能性】
【００２５】
本発明は、コストと施工期間が少ない太陽光発電装置に適用できる。
【符号の説明】
【００２６】
１…太陽光発電装置
２ａ〜２ｃ…ワイヤ
３ａ〜３ｃ…第１支持部
４ａ〜４ｃ…第２支持部
５…固定具
６…太陽電池パネル
６ａ…太陽電池パネル
６ｂ…フレーム
３１〜３３…第１支柱
１３１〜１３３…第２支柱
２３１〜２３３…第３支柱
３４〜３７、１３４〜１３７、２３４〜２３７…補強部材
７ａ〜７ｃ…張設ドラム
８ａ〜８ｃ…中間支持部
【図１】
2014011361.tif 000003
【図２】
2014011361.tif 000004
【図３】
2014011361.tif 000005